(57)【特許請求の範囲】
【請求項１】
造営材に取着する感知器ベースに着脱自在に構成されて、アドレスを記憶するための電気的に書き込みおよび消去可能な不揮発性メモリを組み込むとともに、感知器ベースとの対向凹部にアドレス設定用端子を具備してなる感知器ヘッドの、アドレスを設定するための感知器アドレス設定具であって、前記アドレス設定用端子に電気的に接触する接続端子と、接続端子がアドレス設定用端子に電気的に接触するときに前記対向凹部の内側壁に当接するガイド手段とを設けたものであり、前記対向凹部の内側壁に当接するガイド手段を感知器アドレス設定具のケースに突出成形したことを特徴とする感知器アドレス設定具。
【請求項２】
前記ガイド手段は、感知器アドレス設定具の先端に設けた、前記対向凹部の内側壁に一意的に密着する当接部である請求項１記載の感知器アドレス設定具。
【請求項３】
前記一意的に密着する当接部は、前記感知器ベースに感知器ヘッドを係合取着する際に用いる一対のロック爪部の間に嵌入することを特徴とする請求項２記載の感知器アドレス設定具。
【発明の詳細な説明】
【０００１】
【発明の属する技術分野】
本発明は、火災報知設備や侵入報知設備などに用いられる各種感知器の固有アドレスを設定するための、感知器アドレス設定具に関する。
【０００２】
【従来の技術】
従来から、火災報知設備などに用いられる火災感知器に、固有のアドレスを持たせる方法としては、感知器ヘッド自身に５〜８ビットのディップスイッチまたはロータリー式のディップスイッチを設けるか、あるいは、感知器ベースに同様のディップスイッチ設けて、このディップスイッチにて当該システムにおける感知器の固有のアドレスを設定することが一般的に行われている。
【０００３】
一方、新しい技術として、感知器ヘッドにＥＥＰＲＯＭを組み込んで、このＥＥＰＲＯＭに電気的にアドレスを書き込むことにより、感知器に固有のアドレスを持たせることが行われるようになってきており、例えば火災報知システムの火災受信機から感知器のアドレスを書き換えることも可能になってきている。
【０００４】
上述のような内部に組み込んだＥＥＰＲＯＭにアドレス設定を行うような感知器であっても、受注件名のシステム毎に、それぞの感知器のＥＥＰＲＯＭにそれぞれのアドレスを書き込んで出荷するとなると、アドレス違いで品番（感知器の種別など）を区別しなければならないことになり、たとえＥＥＰＲＯＭを組み込んだ感知器といえども、生産工場にて予め固有アドレスを書き込んで出荷することは非現実的で不可能であり、結局、現場で、感知器アドレス設定具を用いてそれぞれの感知器にアドレスを書き込む必要がある。
【０００５】
【発明が解決しようとする課題】
しかしながら、現場にて、感知器アドレス設定具を用いて、数多くの感知器のそれぞれのＥＥＰＲＯＭに、固有のアドレスをそれぞれ書き込むとなると、感知器との電気的な接続を簡単に短時間に且つ確実に行うことのできる、アドレス設定作業効率の優れる感知器アドレス設定具が必要であるにもかかわらず、感知器側のアドレス設定用端子と感知器アドレス設定具の接続端子との接続が不便で、アドレス設定作業効率に優れる感知器アドレス設定具が存在しないという問題点があった。
【０００６】
本発明は、上記の問題点を解決するためになされたもので、その目的とするところは、感知器側のアドレス設定用端子に感知器アドレス設定具の接続端子を簡単に短時間に且つ確実に接続することができ、アドレスの設定作業効率の向上する、優れた感知器アドレス設定具を提供することにある。
【０００７】
【課題を解決するための手段】
本発明は上記の問題点を解決するため、請求項１記載の発明にあっては、造営材に取着する感知器ベースに着脱自在に構成されて、アドレスを記憶するための電気的に書き込みおよび消去可能な不揮発性メモリを組み込むとともに、感知器ベースとの対向凹部にアドレス設定用端子を具備してなる感知器ヘッドの、アドレスを設定するための感知器アドレス設定具であって、前記アドレス設定用端子に電気的に接触する接続端子と、接続端子がアドレス設定用端子に電気的に接触するときに前記対向凹部の内側壁に当接するガイド手段とを設けたものであり、前記対向凹部の内側壁に当接するガイド手段を感知器アドレス設定具のケースに突出成形したことを特徴とする。
【０００８】
請求項２記載の発明にあっては、前記ガイド手段は、感知器アドレス設定具の先端に設けた、前記対向凹部の内側壁に一意的に密着する当接部としてある。
【０００９】
請求項３記載の発明にあっては、前記一意的に密着する当接部は、前記感知器ベースに感知器ヘッドを係合取着する際に用いる一対のロック爪部の間に嵌入することを特徴とする。
【００１０】
【発明の実施の形態】
以下、本発明に係る感知器アドレス設定具の一実施の形態を図１〜図４に基づいて、詳細に説明する。
【００１１】
図１は感知器アドレス設定具を感知器に接続する様子を示す説明図、図２は感知器アドレス設定具を示す正面図、図３は感知器アドレス設定具を示す側面図、図４は感知器アドレス設定具を示す平面図である。
【００１２】
図１において、１は感知器アドレス設定具であり、２は感知器ヘッドである。感知器ヘッド２は、電源線（図示せず）や信号線（図示せず）の接続される円盤状の感知器ベース（図示せず）を介して、着脱自在に天井材などの造営材に取着されるとともに、電源や駆動信号を得て、例えば火災や侵入者などの検出対象事象を監視していて、検出対象事象を検出すると発報信号を信号線に出力するものであり、合成樹脂製の偏平な円錐台形の外郭を備えるボディ２０と、ボディ２０の先端部に被せてセンサ部（図示せず）を保護する保護カバー２１と、ボディ２０の内部に組み込まれたＥＥＰＲＯＭ（図示せず）とを備える。
【００１３】
感知器ヘッド２は、感知器ベースに取着したときに感知器ベースと対向する部分に、対向凹部２２を備える。対向凹部２２の中央部には低く盛り上がった円盤状の段部２２ａが形成されており、この段部２２ａの周縁近傍には感知器ベースの備える信号端子（図示せず）に電気的に接続するアドレス設定用端子２２ｂ，２２ｂを備えている。アドレス設定用端子２２ｂ，２２ｂは、電気的にデータを消去して書き換えることのできるメモリであるＥＥＰＲＯＭを制御するための、制御部（図示せず）に接続している。対向凹部２２の内側壁２２ｃには、感知器ヘッド２を感知器ベースに係合取着する際にロック作用をする、内側に突出するロック爪部２２ｄ，２２ｄが形成されている。
【００１４】
感知器アドレス設定具１は、合成樹脂製のケース１０を備える。ケース１０は、正面視すると図２に示すように角部がやや丸みを帯びた略長方形をしており、側面視すると図３に示すように逆Ｌ字形をしている。また、感知器アドレス設定具１は、平面視すると図４に示すような形状をしており、長方形の一方側を突出させて成形した、ガイド手段に相当する円弧面部１１を盃えている。
【００１５】
感知器アドレス設定具１は、正面部に、電源表示灯１２ａと、電池切れ表示灯１２ｂと、アドレス番号表示部１２ｃと、アドレス番号入力キー１２ｄと、表示部消去キー１２ｅと、アドレス書き込みキー１２ｆと、アドレス読み出しキー１２ｇとを備える。
【００１６】
電源表示灯１２ａは、図３に示す電源スイッチ１２ｈがオンされて、感知器アドレス設定具１が動作状態にあるときに点灯する。電池切れ表示灯１２ｂは、電池が消耗してきて電圧低下を生じると点灯して電池切れを報知する。アドレス番号表示部１２ｃは、感知器アドレス設定具１が感知器ヘッドのＥＥＰＲＯＭから読み出したアドレス番号を表示したり、アドレス番号入力キー１２ｄを操作してこれから感知器ヘッドのＥＥＰＲＯＭに書き込むはずのアドレス番号を表示したりする。
【００１７】
アドレス番号入力キー１２ｄは、「０」〜「９」までの１０個のキースイッチから構成される。表示部消去キー１２ｅは、アドレス番号表示部１２ｃに表示されている表示を消去する場合に操作する。アドレス書き込みキー１２ｆは、アドレス番号表示部１２ｃに表示されている番号をＥＥＰＲＯＭにアドレスデータとして書き込む場合に操作する。アドレス読み出しキー１２ｇは、ＥＥＰＲＯＭに既に書き込まれているアドレス番号を感知器ヘッド２から読み出す場合に操作する。
【００１８】
感知器アドレス設定具１は、図３に示すように、電池ケース蓋１３を備える。また、感知器アドレス設定具１は、図４に示すように、天面部に、感知器ヘッド２のＥＥＰＲＯＭにアドレスデータを書き込んだり、ＥＥＰＲＯＭからアドレスデータを読み出したりする場合に、感知器ヘッド２のアドレス設定用端子２２ｂ，２２ｂに電気的に接触させる接続端子１４，１４を備える。
【００１９】
感知器アドレス設定具１の円弧面部１１は、感知器ヘッド２の対向凹部２２の内側壁２２ｂにちょうど密着する曲面とされている。また、感知器アドレス設定具１の円弧面部１１の幅Ｌ１  は、対向凹部２２の内側壁２２ｃに形成されたロック爪部２２ｄ，２２ｄの間隔Ｌ２  と、略一致するようにされている。そして、感知器アドレス設定具１の接続端子１４，１４とアドレス設定用端子２２ｂ，２２ｂとは、感知器アドレス設定具１の突出した円弧面部１１が感知器ヘッド２の対向凹部２２の内側壁２２ｃに密着するとき、接続端子１４，１４がそれぞれ対応する感知器ヘッド２のアドレス設定用端子２２ｂ，２２ｂにちょうど接触するような配設関係にされている。
【００２０】
従って、上述のような感知器アドレス設定具１にあっては、感知器ヘッド２のＥＥＰＲＯＭに次のようにしてアドレス設定を行なうことができる。すなわち、アドレス設定作業者は、感知器アドレス設定具１の円弧面部１１を、感知器ヘッド２の対向凹部２２に形成されたロック爪部２２ｄ，２２ｄの間に嵌入して宛がった上で、感知器ヘッド２の対向凹部２２の内側壁２２ｃに密着させる。
【００２１】
すると、感知器ヘッド２の対向凹部２２に対する感知器アドレス設定具１の接続端子１４，１４の位置が一意的に定まり、  接続端子１４，１４は対応する感知器ヘッド２のアドレス設定用端子２２ｂ，２２ｂにそれぞれ接触する。しかも、円弧面部１１がロック爪部２２ｄ，２２ｄの間に嵌入された状態になるので、感知器アドレス設定具１のアドレス番号入力キー１２ｄなどを操作しても、アドレス設定用端子２２ｂ，２２ｂに対する接続端子１４，１４の接触が簡単に外れることは無く、アドレスの書き込みやアドレスの読み出しに失敗することが少なくなり、効率的なアドレス設定作業を行なうことができる。
【００２２】
なお、上述の実施の形態の感知器アドレス設定具１におけるガイド手段は、円弧面形状の円弧面部１１とされているが、この形状は限定されるものでは無く、感知器ヘッドの対向凹部２２の内側壁２２ｃに応じて適宜変形されるものであり、多角形面部や複雑な曲面形状の面部であっても良い。
【００２３】
【発明の効果】
請求項１記載の発明によれば、感知器アドレス設定具のケースに突出成形されたガイド手段が感知器ヘッドの対向凹部の内側壁に当接するときに、感知器アドレス設定具の接続端子が感知器ヘッドのアドレス設定用端子に電気的に接触するので、感知器ヘッドのアドレス設定用端子に対する感知器アドレス設定具の接続端子の位置決めが非常に行ない易くなり、アドレス設定作業効率の向上する、優れた感知器アドレス設定具を提供できるという効果を奏する。
【００２４】
請求項２記載の発明によれば、ガイド手段は、感知器アドレス設定具の先端に設けた、対向凹部の内側壁に一意的に密着する当接部としてあるので、請求項２記載の発明の効果に加えて、位置決めのために神経質にならずとも感知器ヘッドのアドレス設定用端子に感知器アドレス設定具の接続端子を確実に接触せしめることが可能で、更にアドレス設定作業効率の向上する、優れた感知器アドレス設定具を提供できるという効果を奏する。  
【００２５】
請求項３記載の発明によれば、感知器ヘッドを感知器ベースに係合取着する際に利用する一対のロック爪部を利用して、感知器アドレス設定具の先端の当接部を対向凹部の内側壁に一意的に密着できるようにしてあるので、請求項２記載の発明の効果に加えて、位置決めのための特別な突起などを感知器ヘッドに別途設けなくても済む、合理的な、優れた感知器アドレス設定具を提供できるという効果を奏する。  
【図面の簡単な説明】
【図１】本発明に係る一実施の形態の感知器アドレス設定具を感知器に接続する様子を示す説明図である。
【図２】上記感知器アドレス設定具を示す正面図である。
【図３】上記感知器アドレス設定具を示す側面図である。
【図４】上記感知器アドレス設定具を示す平面図である。
【符号の説明】
１      感知器アドレス設定具
２          感知器ヘッド
１１    ガイド手段（当節部）
１４    接続端子
２２    対向凹部
２２ｂ  アドレス設定用端子
２２ｃ  内側壁
２２ｄ  ロック爪部
【図１】
0003622399.tif 000002
【図２】
0003622399.tif 000003
【図３】
0003622399.tif 000004
【図４】
0003622399.tif 000005